(57)【要約】    【課題】  リアカバーとサイドプレートとの間に土が付着し難く且つ固まり難くできると共にリアカバーを動きやすくすることができるロータリ耕耘機を提供する。    【解決手段】  耕耘部１３０の上方を覆うロータリカバー２１０，２１０’と、耕耘部１３０の後方を覆うリアカバー２２０と、耕耘部１３０の側方を覆うサイドプレート２３０，２３０’とを備えたロータリ耕耘機１００，１００’において、サイドプレート２３０及び第２サイドプレート２３２’は、リアカバー２２０に対して離間する方向に揺動可能とされており、リアカバー２２０から離間する際には、該リアカバー２２０に向けて（Ｘ２方向に）付勢されるように構成されている。【選択図】  図２
2006191842.tif 000002
【特許請求の範囲】
【請求項１】
耕耘部の上方を覆うロータリカバーと、前記耕耘部の後方を覆うリアカバーであって、前記ロータリカバーに対して揺動自在とされたリアカバーと、前記耕耘部の側方を覆うサイドプレートとを備えたロータリ耕耘機において、
前記サイドプレートは、少なくとも一部が前記リアカバーに対して離間する方向に揺動可能とされており、前記リアカバーから離間する際には、該リアカバーに向けて付勢されるように構成されていることを特徴とするロータリ耕耘機。
【請求項２】
前記サイドプレートは、第１支持部材と、第２支持部材とに前記離間方向に揺動自在に支持されており、前記第１及び第２支持部材には、前記リアカバーに向けて付勢する第１及び第２付勢部材がそれぞれ設けられていることを特徴とする請求項１に記載のロータリ耕耘機。
【請求項３】
前記第１支持部材は、耕耘作業時の姿勢において、前記第２支持部材より上方に配設されていることを特徴とする請求項２に記載のロータリ耕耘機。
【請求項４】
前記第１及び第２付勢部材は、いずれも弾性体からなっており、前記第１付勢部材の弾性率と前記第２付勢部材の弾性率とが互いに異なっていることを特徴とする請求項２又は３に記載のロータリ耕耘機。
【請求項５】
前記第１付勢部材の弾性率は、前記第２付勢部材の弾性率より大きいことを特徴とする請求項４に記載のロータリ耕耘機。
【請求項６】
前記第１付勢部材は、ゴム部材であり、前記第２付勢部材は、前記ゴム部材の弾性率より小さい弾性率を有するバネ部材であることを特徴とする請求項５に記載のロータリ耕耘機。
【請求項７】
前記サイドプレートは、第１サイドプレートと、第２サイドプレートとに分割されており、前記第１サイドプレートが揺動不能に固定されており、該第１サイドプレートに対して、前記第２サイドプレートが、前記リアカバーに向けて付勢する第３付勢部材を介して連結されていることを特徴とする請求項１に記載のロータリ耕耘機。
【請求項８】
前記第１サイドプレートは、耕耘作業時の姿勢において、前記第２サイドプレートより上方に配設されていることを特徴とする請求項７に記載のロータリ耕耘機。
【請求項９】
前記第１サイドプレートは、耕耘作業時の姿勢において、前記第２サイドプレートより前方に配設されていることを特徴とする請求項７に記載のロータリ耕耘機。
【請求項１０】
前記第３付勢部材は、バネ部材であることを特徴とする請求項７から９の何れかに記載のロータリ耕耘機。
【発明の詳細な説明】
【技術分野】
【０００１】
本発明は、ロータリ耕耘機に関する。
【背景技術】
【０００２】
耕耘部の上方を覆うロータリカバーと、耕耘部の後方を覆うリアカバーであって、ロータリカバーに対して揺動自在とされたリアカバーと、耕耘部の側方を覆うサイドプレートとを備えたロータリ耕耘機においては、耕耘作業時に、耕耘部から飛散する土が該耕耘部を覆うロータリカバーやリアカバー、サイドプレートに付着し、耕耘作業に支障をきたすという問題がある。
【０００３】
特に、ロータリカバーに対して揺動自在とされたリアカバーと、耕耘部の側方において固定配置されたサイドプレートとの間に土が付着してしまうと、その付着した土がリアカバーとサイドプレートとの間で硬化し、該硬化した土によりリアカバーがサイドプレートに固着することで、ロータリカバーに対するリアカバーの動きを阻害する場合がある。
【発明の開示】
【発明が解決しようとする課題】
【０００４】
本発明は、前記従来技術に鑑みなされたものであり、耕耘部の上方を覆うロータリカバーと、前記耕耘部の後方を覆うリアカバーであって、前記ロータリカバーに対して揺動自在とされたリアカバーと、前記耕耘部の側方を覆うサイドプレートとを備えたロータリ耕耘機であって、前記リアカバーと前記サイドプレートとの間に土が付着し難く且つ固まり難くできると共に前記リアカバーを動きやすくすることができるロータリ耕耘機を提供することを課題とする。
【課題を解決するための手段】
【０００５】
本発明は、前記課題を解決するため、耕耘部の上方を覆うロータリカバーと、前記耕耘部の後方を覆うリアカバーであって、前記ロータリカバーに対して揺動自在とされたリアカバーと、前記耕耘部の側方を覆うサイドプレートとを備えたロータリ耕耘機において、前記サイドプレートは、少なくとも一部が前記リアカバーに対して離間する方向に揺動可能とされており、前記リアカバーから離間する際には、該リアカバーに向けて付勢されるように構成されていることを特徴とするロータリ耕耘機を提供する。
【０００６】
本発明に係るロータリ耕耘機によれば、前記サイドプレートは、少なくとも一部が前記離間方向に揺動可能とされており、前記リアカバーから離間する際には、該リアカバーに向けて付勢されるように構成されているので、外力（例えば、耕耘作業時における土から受ける圧力）に応じて、該サイドプレートの少なくとも一部が前記リアカバーから離間する際に土が逃がされることになり、また、かかる外力が解除されると該サイドプレートが元の状態に戻される。従って、前記リアカバーと前記サイドプレートとの間に土が付着し難く且つ固まり難くすることができ、これにより前記リアカバーを動きやすくすることができる。
【０００７】
本発明に係るロータリ耕耘機の具体的態様としては、例えば、次の態様を挙げることができる。すなわち、
（ａ）前記サイドプレートが、第１支持部材と、第２支持部材とに前記離間方向に揺動自在に支持されており、前記第１及び第２支持部材には、前記リアカバーに向けて付勢する第１及び第２付勢部材がそれぞれ設けられている態様。
（ｂ）前記サイドプレートが、第１サイドプレートと、第２サイドプレートとに分割されており、前記第１サイドプレートが揺動不能に固定されており、該第１サイドプレートに対して、前記第２サイドプレートが、前記リアカバーに向けて付勢する第３付勢部材を介して連結されている態様である。
【０００８】
前記（ａ）の態様では、前記サイドプレート全体が、外力（例えば、耕耘作業時における土から受ける圧力）に応じて、前記リアカバーに対して離間する方向に揺動されるので、該サイドプレート全体が該リアカバーから離間する際に該サイドプレートと該リアカバーとの間で土が逃がされ得る。
【０００９】
さらに、前記サイドプレート全体が前記リアカバーから離間する際に該サイドプレートと該リアカバーとの間で抵抗をなくすことができるので、前記リアカバーの動きを阻害しないようにすることができ、これにより、該リアカバーの動きを良好に維持することができ、ひいては前記リアカバーによってならされるべき土の均平性能を良好に維持することができる。
【００１０】
前記第１支持部材は、耕耘作業時の姿勢において、前記第２支持部材より上方に配設されている場合を例示できる。また、前記第１及び第２付勢部材は、いずれも弾性体からなっていて、前記第１付勢部材の弾性率と前記第２付勢部材の弾性率とが互いに異なっている場合を例示できる。ここで、前記第１支持部材が、耕耘作業時の姿勢において、前記第２支持部材より上方に配設されていて、前記第１付勢部材の弾性率を前記第２付勢部材の弾性率より大きくすると、例えば、耕耘作業時における土から受ける圧力によって、前記サイドプレートが前記リアカバーから離間する際に下方側で外方に向けて開くので、それだけ前記リアカバーと前記サイドプレートとの間の土の付着或いは固着を抑制することができる。
【００１１】
さらにこの場合、例えば、前記第１支持部材に設けられる前記第１付勢部材をゴム部材とし、前記第２支持部材に設けられる前記第２付勢部材を前記ゴム部材の弾性率より小さい弾性率を有するバネ部材とすると、前記第１支持部材側では、前記ゴム部材によって振動等が抑制されることで騒音防止効果を得ることができると共に前記サイドプレートに適度な固定力を持たせることができ、前記第２支持部材側では、耕耘作業時における土から受ける圧力に応じて、前記サイドプレートが前記リアカバーから離間する際に外方に向けて開きやすくすることができる。
【００１２】
前記（ｂ）の態様では、前記サイドプレートが前記第１サイドプレートと前記第２サイドプレートとに分割されており、前記第１サイドプレートが揺動不能に固定されていて、該第１サイドプレートに対して、前記第２サイドプレートが、前記第３付勢部材を介して連結されているので、該第２サイドプレートが、外力（例えば、耕耘作業時における土から受ける圧力）に応じて、前記リアカバーから離間する際に該第２サイドプレートと該リアカバーとの間で土が逃がされ得る。なお、前記第３付勢部材としては、板バネ等のバネ部材を例示できる。
【００１３】
前記第１サイドプレートは、耕耘作業時の姿勢において、前記第２サイドプレートより上方に配設されている場合を例示できる。この場合、例えば、耕耘作業時における土から受ける圧力によって、前記第２サイドプレートが前記リアカバーから離間する際に下方側で外方に向けて開くので、それだけ前記リアカバーと前記第２サイドプレートとの間の土の付着或いは固着を抑制することができる。また、前記第１サイドプレートは、耕耘作業時の姿勢において、前記第２サイドプレートより前方に配設されていてもよい。こうすることで、例えば、耕耘作業時における土から受ける圧力によって、前記第２サイドプレートが前記リアカバーから離間する際に後方側で外方に向けて開くので、それだけ前記リアカバーと前記第２サイドプレートとの間の土の付着或いは固着を抑制することができる。
【発明の効果】
【００１４】
以上説明したように本発明によると、耕耘部の上方を覆うロータリカバーと、前記耕耘部の後方を覆うリアカバーであって、前記ロータリカバーに対して揺動自在とされたリアカバーと、前記耕耘部の側方を覆うサイドプレートとを備えたロータリ耕耘機であって、前記リアカバーと前記サイドプレートとの間に土が付着し難く且つ固まり難くできると共に前記リアカバーを動きやすくすることができるロータリ耕耘機を提供することができる。
【発明を実施するための最良の形態】
【００１５】
以下、本発明に係るロータリ耕耘機の好ましい実施の形態につき、添付図面を参照しつつ説明する。図１は本発明の一実施形態であるロータリ耕耘機１００の概略側面図である。
【００１６】
図１に示すように、ロータリ耕耘機１００は、作業車輌の本機に付設されるようになっている。なお、本実施形態においては、該ロータリ耕耘機１００はセンターロータリ型のものとされている。
【００１７】
詳しくは、前記ロータリ耕耘機１００は、本機に設けられたＰＴＯ軸に自在継ぎ手を介して作動連結される入力軸１１０と、伝動部材（図示せず）を介して前記入力軸１１０に作動連結された駆動軸１２０と、該駆動軸１２０に相対回転不能とされた耕耘爪（図示せず）を有する耕耘部１３０と、本機に設けられたリフトアームにリンク連結されるアッパーアーム１４０と、該アッパーアーム１４０に連結されるロータケース１５０であって、前記入力軸１１０及び前記駆動軸１２０を支持すると共に、前記伝動部材を収容するロータケース１５０と、前記耕耘部１３０の上方を覆うロータリカバー２１０と、前記耕耘部１３０の後方を覆うリアカバー２２０であって、前記ロータリカバー２１０に対して揺動自在とされたリアカバー２２０と、前記耕耘部１３０の側方を覆う左右一対のサイドプレート２３０とを備えている。
【００１８】
前記ロータリカバー２１０は、既述の通り、前記耕耘部１３０の上方を覆うものであり、前記駆動軸１２０方向の両端部において下方に延びる側端部２１１を有しており、この側端部２１１で前記ロータケース１５０に支持されている。
【００１９】
前記リアカバー２２０は、前記耕耘部１３０の後方で、土壌を整地する為の整地用部材２２１を有しており、前記整地用部材２２１が土壌の高さの変化に対応して上下動し得るように、前記ロータリカバー２１０に板状の弾性体１６０（図１では図示せず、後述する図４参照）を介して揺動自在に連結されている。
【００２０】
図４に前記ロータリカバー２１０と前記リアカバー２２０とが前記板状の弾性体１６０を介して結合されている状態の概略断面図を示す。この板状の弾性体１６０は、バネ鋼、ゴム、樹脂等の可撓性を有する部材からなっており、図４に示すように、一方の端部１６１が前記ロータリカバー２１０に、他方の端部１６２が前記リアカバー２２０に、取付ネジ１７０によって、上下方向（図中Ｙ方向）に揺動自在に取り付けられている。
【００２１】
ところで、ロータリカバーとリアカバーとはヒンジ等の支点ピンを介して上下方向に回動自在に取り付けられるのが一般的であるが、この場合、支点部分に土が入り込み、耕耘後に整地を行うリアカバーの動きが悪くなり、最悪の場合、動かなくなることがある。これにより、耕深制御が働かなくなるといった不具合を招く。しかしながら、本実施形態のように、支点部を設けることなく、前記ロータリカバー２１０と前記リアカバー２２０とを前記板状の弾性体１６０を介して上下方向Ｙに揺動自在に取り付けると、前記不具合が発生することはない。
【００２２】
前記サイドプレート２３０は、前記ロータリカバー２１０における前記側端部２１１に支持されており、少なくとも一部が前記リアカバー２２０に対して離間する方向に揺動可能とされており、前記リアカバー２２０から離間する際には、該リアカバー２２０に向けて付勢されるように構成されている。
【００２３】
図２は図１に示すロータリ耕耘機１００において前記サイドプレート２３０が前記ロータリカバー２１０における前記側端部２１１に取り付けられている状態を示す概略断面図であって、図２（Ａ）は前記側端部２１１に設けられた後述する第１支持部材２３１に支持されている状態を拡大して示しており、図２（Ｂ）は前記側端部２１１に設けられた後述する第２支持部材２３２に支持されている状態を拡大して示している。なお、図１及び図２では、前記左右一対のサイドプレート２３０の一方側のみを示しているが、他方側の構成は、一方側の構成とは左右対称になっているだけで、該一方側の構成と実質的に同様の構成をしている。従って、ここでは、他方側の構成については図示を省略し、一方側の図で代表させて示している。後述する図３についても同様である。
【００２４】
詳しくは、前記サイドプレート２３０は、第１支持部材２３１（本実施形態では支持ボルト）と、第２支持部材２３２（本実施形態では支持ボルト）とに前記離間方向に揺動自在に支持されており、前記第１及び第２支持ボルト２３１，２３２には、前記リアカバー２２０に向けて（図２中Ｘ２方向に）付勢する第１及び第２付勢部材２３３，２３４がそれぞれ設けられている。ここで前記第１支持ボルト２３１は、本実施形態では、耕耘作業時の姿勢において、前記第２支持部材２３２より上方に配設されている。
【００２５】
さらに詳しくは、前記ロータリカバー２１０における前記側端部２１１には、前記第１支持ボルト２３１を取り付ける為の第１支持ボルト用穴２１１ａ（図２（Ａ）参照）と、前記第２支持ボルト２３２を取り付ける為の第２支持ボルト用穴２１１ｂ（図２（Ｂ）参照）とが設けられている。また、前記サイドプレート２３０には、第１支持ボルト２３１の螺合部２３１ａを貫通する貫通穴２３０ａ（図２（Ａ）参照）と、第２支持ボルト２３２の螺合部２３２ａを貫通する貫通穴２３０ｂ（図２（Ｂ）参照）とが設けられている。なお、前記貫通穴２３０ａは、本実施形態では、図１に示すように、前記サイドプレート２３０が前記第２支持ボルト２３２を中心に回動（上下方向に位置調整）できるように、前記第２支持ボルト２３２を中心とした回転軌跡上に複数設けられている。
【００２６】
また、前記第１及び第２付勢部材２３３，２３４は、本実施形態では、いずれも弾性体からなっており、前記第１付勢部材２３３の弾性率は前記第２付勢部材２３４の弾性率より大きくなっている。さらに言えば、前記第１付勢部材２３３は、前記第１支持ボルト２３１の螺合部２３１ａの径より若干大きい内径の中空部２３３ａを有する円筒状ゴム部材であり、また前記第２付勢部材２３４は、前記ゴム部材２３３の弾性率より小さい弾性率を有するバネ部材であって、前記第２支持ボルト２３２の螺合部２３２ａの径より若干大きい内径になるように巻かれた巻きバネ部材である。
【００２７】
そして、前記サイドプレート２３０は、前記第１支持ボルト２３１が前記円筒状ゴム部材２３３の中空部２３３ａに挿通した状態で前記貫通穴２３０ａを介して前記ロータリカバー２１０における前記側端部２１１の前記第１支持ボルト用穴２１１ａに螺合されると共に前記第２支持ボルト２３２が前記巻きバネ部材２３４に挿通した状態で前記貫通穴２３０ｂを介して前記ロータリカバー２１０における前記側端部２１１の前記第２支持ボルト用穴２１１ｂに螺合されることで、該側端部２１１に取り付けられている。このとき、第１及び第２支持ボルト２３１，２３２の締め付け具合は、本実施形態では、それぞれゴム部材２３３及びバネ部材２３４に対して殆ど負荷が掛からないか又はある程度負荷が掛かっていても、前記サイドプレート２３０が前記離間方向に揺動できる程度のものとしている。これにより、前記サイドプレート２３０を前記第１支持ボルト２３１及び前記第２支持ボルト２３２に、前記離間方向に揺動自在に支持しすると共に、該第１及び第２支持部材ボルト２３１，２３２に前記リアカバー２２０に向けて（Ｘ２方向に）付勢するゴム部材２３３及びバネ部材２３４をそれぞれ設けることができる。なお、図２（Ｂ）において、前記サイドプレート２３０の実線の状態は前記リアカバー２２０から離間している状態を示しており、破線の状態は前記リアカバー２２０に近接している状態を示している。
【００２８】
以上説明したロータリ耕耘機１００によれば、前記サイドプレート２３０が、前記離間方向に揺動可能とされており、前記リアカバー２２０から離れる方向（図２中Ｘ１方向）に離間する際には、ゴム部材２３３及びバネ部材２３４によって該リアカバー２２０に向けて（Ｘ２方向に）付勢されるように構成されているので、外力（例えば、耕耘作業時における土から受ける圧力）に応じて、該サイドプレート２３０が前記リアカバー２２０から離れる方向Ｘ１に離間する際に土が逃がされることになり、また、かかる外力が解除されると該サイドプレート２３０が元の位置に戻される。従って、前記リアカバー２２０と前記サイドプレート２３０との間に土が付着し難く且つ固まり難くすることができ、これにより前記リアカバー２２０を動きやすくすることができる。
【００２９】
ここで、従来のロータリ耕耘機においては、リアカバーとサイドプレートとの間で硬化した土によりリアカバーがサイドプレートに固着することで、ロータリカバーに対するリアカバーの可動の支障となり、リアカバーによってならされるべき土の均平性能が低下するところ、本実施形態では、前記サイドプレート２３０全体が前記リアカバー２２０から離間する際に該サイドプレート２３０と該リアカバー２２０との間で抵抗をなくすことができるので、前記リアカバー２２０の動きを阻害しないようにすることができ、これにより、該リアカバー２２０の動きを良好に維持することができ、ひいては均平性能を良好に維持することができる。
【００３０】
また、前記第１支持ボルト２３１が、耕耘作業時の姿勢において、前記第２支持ボルト２３２より上方に配設されていて、前記ゴム部材２３３の弾性率が前記バネ部材２３４の弾性率より大きいので、例えば、耕耘作業時における土から受ける圧力によって、前記サイドプレート２３０が前記リアカバー２２０から離間する際に下方側で外方に向けて開くので、それだけ前記リアカバー２２０と前記サイドプレート２３０との間の土の付着或いは固着を抑制することができる。さらに、前記第１支持ボルト２３１には前記ゴム部材２３３が設けられており、前記第２支持ボルト２３２には前記バネ部材２３４が設けられているので、前記第１支持ボルト２３１側では、前記ゴム部材２３３によって振動等が抑制されることで騒音防止効果を得ることができると共に前記サイドプレート２３０に適度な固定力を持たせることができ、前記第２支持ボルト２３２側では、耕耘作業時における土から受ける圧力に応じて、前記サイドプレート２３０が前記リアカバー２２０から離間する際に外方に向けて開きやすくすることができる。
【００３１】
図３は本発明の他の実施形態に係るロータリ耕耘機１００’を説明するための図であって、図３（Ａ）は該ロータリ耕耘機１００’のサイドプレート２３０’部分を中心に示す概略側面図であり、図３（Ｂ）は後述する第１及び第２サイドプレート２３１’，２３２’が第３付勢部材２３３’を介して連結されている状態を示す概略断面図であり、図３（Ｃ）は該第２サイドプレート２３２’が揺動している状態を示す概略断面図である。
【００３２】
このロータリ耕耘機１００’は、サイドプレート及びその取り付け構成が異なる以外は図１に示すロータリ耕耘機１００と実質的に同様の構成のものである。以下、図３に示すロータリ耕耘機１００’について、図１に示すロータリ耕耘機１００とは異なる部分を中心に説明し、共通する部分の説明は省略する。
【００３３】
図３に示すロータリ耕耘機１００’は、入力軸、駆動軸、耕耘部、アッパーアーム、ロータケース（以上、図示省略）及びリアカバーを備えている。これらの部材は、図１に示すロータリ耕耘機１００の前記入力軸１１０、前記駆動軸１２０、前記耕耘部１３０、前記アッパーアーム１４０、前記ロータケース１５０及び前記リアカバー２２０と実質的に同様の構成をしており、以下同じ参照符号で説明する。
【００３４】
ロータリ耕耘機１００’はさらに、前記耕耘部１３０の上方を覆うロータリカバー２１０’と、前記耕耘部１３０の側方を覆う左右一対のサイドプレート２３０’とを備えている。
【００３５】
前記ロータリカバー２１０’は、既述の通り、前記耕耘部１３０の上方を覆うものであり、前記駆動軸１２０方向の両端部において下方に延びる側端部２１１’を有しており、この側端部２１１’で前記ロータケース１５０に支持されている。
【００３６】
前記サイドプレート２３０’は、前記ロータリカバー２１０’における前記側端部２１１’に支持されており、少なくとも一部が前記リアカバー２２０に対して離間する方向に揺動可能とされており、前記リアカバー２２０から離れる方向（図３（Ｃ）中Ｘ１方向）に離間する際には、該リアカバー２２０に向けて（図３（Ｃ）中Ｘ２方向に）付勢されるように構成されている。
【００３７】
詳しくは、前記サイドプレート２３０’は、第１サイドプレート２３１’と、第２サイドプレート２３２’とに分割されていて、前記第１サイドプレート２３１’が揺動不能に固定されており、該第１サイドプレート２３１’に対して、前記第２サイドプレート２３２’が、前記リアカバー２２０に向けて（Ｘ２方向に）付勢する第３付勢部材２３３’を介して連結されている。ここで前記第１サイドプレート２３１’は、本実施形態では、耕耘作業時の姿勢において、前記第２サイドプレート２３２’より上方に配設されている。
【００３８】
さらに詳しくは、前記ロータリカバー２１０’における前記側端部２１１’には、第１支持ボルトＢ１を取り付ける為の第１支持ボルト用穴（図示せず）と、第２支持ボルトＢ２を取り付ける為の第２支持ボルト用穴（図示せず）とが設けられている。また、前記第１サイドプレート２３１’には、第１支持ボルトＢ１を貫通する貫通穴２３０ａ’と、第２支持ボルトＢ２を貫通する貫通穴（図示せず）とが設けられている。なお、前記貫通穴２３０ａ’は、本実施形態では、前記サイドプレート２３０’が前記第２支持ボルトＢ２を中心に回動（上下方向に位置調整）できるように、前記第２支持ボルトＢ２を中心とした回転軌跡上に沿って延びる長穴としている。
【００３９】
また、前記第３付勢部材２３３’は、本実施形態では長方形状の板バネであり、短手方向の両端部において取付ネジ２３４’の螺合部２３４ａ’を貫通する貫通穴２３３ａ’，２３３ｂ’が長手方向に沿って複数（図示例では３箇所）設けられている。なお、前記第１サイドプレート２３１’には、耕耘作業時の姿勢において下端部の前記板バネ２３３’における短手方向一端側の貫通穴２３３ａ’に対応する部分に、前記取付ネジ２３４’を取り付ける為の取付ネジ用穴２３１ａ’が設けられており、前記第２サイドプレート２３２’には、耕耘作業時の姿勢において上端部の前記板バネ２３３’における短手方向他端側の貫通穴２３３ｂ’に対応する部分に、前記取付ネジ２３４’を取り付ける為の取付ネジ用穴２３２ａ’が設けられている。
【００４０】
そして、前記第１サイドプレート２３１’は、前記第１支持ボルトＢ１が前記貫通穴２３０ａ’を介して前記ロータリカバー２１０’における前記側端部２１１’の前記第１支持ボルト用穴に螺合されると共に前記第２支持ボルトＢ２が前記貫通穴を介して前記ロータリカバー２１０’における前記側端部２１１’の前記第２支持ボルト用穴に螺合されることで、該側端部２１１’に固定されており、さらに前記取付ネジ２３４’の螺合部２３４ａ’が前記板バネ２３３’の短手方向一方側の前記貫通穴２３３ａ’を介して前記取付ネジ用穴２３１ａ’に螺合されることで、前記板バネ２３３’短手方向一方側に取り付けられている。また、前記第２サイドプレート２３２’は、前記取付ネジ２３４’の螺合部２３４ａ’が前記板バネ２３３’の短手方向他方側の前記貫通穴２３３ｂ’を介して前記取付ネジ用穴２３２ａ’に螺合されることで、前記板バネ２３３’短手方向他方側に取り付けられている。これにより、前記第１サイドプレート２３１’を前記ロータリカバー２１０’における前記側端部２１１’に揺動不能に固定配置し、該第１サイドプレート２３１’に対して、前記第２サイドプレート２３２’を前記板バネ部材２３３’を介して連結することができる。なお、図３（Ｃ）において、前記サイドプレート２３０’の実線の状態は前記リアカバー２２０から離間している状態を示しており、破線の状態は前記リアカバー２２０に近接している状態を示している。
【００４１】
以上説明したロータリ耕耘機１００’によれば、前記サイドプレート２３０’が前記第１サイドプレート２３１’と前記第２サイドプレート２３２’とに分割されており、前記第１サイドプレート２３１’が揺動不能に固定されていて、該第１サイドプレート２３１’に対して、前記第２サイドプレート２３２’が、前記板バネ部材２３３’を介して連結されているので、該第２サイドプレート２３２’が、外力（例えば、耕耘作業時における土から受ける圧力）に応じて、前記リアカバー２２０から離れる方向Ｘ１に離間する際に該第２サイドプレート２３２’と該リアカバー２２０との間で土が逃がされることになり、また、かかる外力が解除されると該第２サイドプレート２３２’が元の位置に戻される。従って、前記リアカバー２２０と前記第２サイドプレート２３２’との間に土が付着し難く且つ固まり難くすることができ、これにより前記リアカバー２２０を動きやすくすることができる。また、前記第１サイドプレート２３１’が、耕耘作業時の姿勢において、前記第２サイドプレート２３２’より上方に配設されているので、図３（Ｃ）に示すように、例えば、耕耘作業時における土から受ける圧力によって、前記第２サイドプレート２３２’が前記リアカバー２２０から離れる方向Ｘ１に離間する際に下方側で外方に向けて開くので、それだけ前記リアカバー２２０と前記第２サイドプレート２３２’との間の土の付着或いは固着を抑制することができる。
【００４２】
なお、図３に示すロータリ耕耘機１００’において、前記第１サイドプレート２３１’は、揺動不能としたが、それに限定されず、図１に示すロータリ耕耘機１００のサイドプレート２３０の如く、前記リアカバー２２０に対して離間する方向に揺動可能とされていて、前記リアカバー２２０から離れる方向Ｘ１に離間する際には、該リアカバー２２０に向けて（Ｘ２方向に）付勢されるように構成されていてもよい。また、前記サイドプレート２３０’について、本例では、前記第１サイドプレート２３１’を、耕耘作業時の姿勢において、前記第２サイドプレート２３２’より上方に配設し、前記第１サイドプレート２３１’と前記第２サイドプレート２３２’とで側面視上下に分割したが、前記第１サイドプレート２３１’を、前記第２サイドプレート２３２’より前方に配設し、前記第１サイドプレート２３１’と前記第２サイドプレート２３２’とで側面視左右に分割してもよい。こうすることで、例えば、耕耘作業時における土から受ける圧力によって、前記第２サイドプレート２３２’が前記リアカバー２２０から離れる方向Ｘ１に離間する際に後方側で外方に向けて開くので、それだけ前記リアカバー２２０と前記第２サイドプレート２３２’との間の土の付着或いは固着を抑制することができる。
【図面の簡単な説明】
【００４３】
【図１】図１は、本発明の一実施形態であるロータリ耕耘機の概略側面図である。
【図２】図２は、図１に示すロータリ耕耘機においてサイドプレートがロータリカバーにおける側端部に取り付けられている状態を示す概略断面図であって、図２（Ａ）は、側端部に設けられた第１支持部材に支持されている状態を拡大して示しており、図２（Ｂ）は、側端部に設けられた第２支持部材に支持されている状態を拡大して示している。
【図３】図３は、本発明の他の実施形態に係るロータリ耕耘機を説明するための図であって、図３（Ａ）は、該ロータリ耕耘機のサイドプレート部分を中心に示す概略側面図であり、図３（Ｂ）は、第１及び第２サイドプレートが第３付勢部材を介して連結されている状態を示す概略断面図であり、図３（Ｃ）は、該第２サイドプレートが揺動している状態を示す概略断面図である。
【図４】図４は、ロータリカバーとリアカバーとが板状の弾性体を介して結合されている状態を示す概略断面図である。
【符号の説明】
【００４４】
１００，１００’…ロータリ耕耘機  １３０…耕耘部  
２１０，２１０’…ロータリカバー  ２２０…リアカバー  
２３０，２３０’…サイドプレート  ２３１…第１支持部材  ２３２…第２支持部材  
２３３…第１付勢部材  ２３４…第２付勢部材  ２３１’…第１サイドプレート  
２３２’…第２サイドプレート  ２３３’…第３付勢部材  
Ｘ１…リアカバーから離れる方向  Ｘ２…リアカバーに近接する方向
【図１】
2006191842.tif 000003
【図２】
2006191842.tif 000004
【図３】
2006191842.tif 000005
【図４】
2006191842.tif 000006